(57)【要約】【課題】単純な機構で確実な動作が保証される液体自動遮断装置を提供する。【解決手段】  一端に給油ホース１等の液体移送手段が接続される中空状のノズル支持部１１には、このノズル支持部１１よりも大きな内径を有し、ノズル支持部１１側に複数の貫通孔２３を形成した中空状のノズル部１２が一体に形成されている。ノズル支持部１１には、ノズル部１２側の下端面に磁気吸着手段１４が配設された中空状のシリンダー部１５が上下動自在に嵌挿される。上記ノズル部１２内には、ノズル部１２の内径よりも小さくノズル支持部１１の内径よりも大きな外径を有し、上端面に磁気部吸着手段１４に対応する部位に磁気吸着板１７を配したフロート部１３が上下動自在に収納される。そしてフロート部１３の磁気吸着板１７が磁気部吸着手段１４に吸引したときフロート部１３によりノズル支持部１１を遮断する。【選択図】      図３
2007084146.tif 000002
【特許請求の範囲】
【請求項１】
一端に液体移送手段が接続される中空状のノズル支持部と、
このノズル支持部に一体に形成され、この支持部よりも大きな内径を有し、上記ノズル支持部側に複数の貫通孔を形成した中空状のノズル部と、
上記ノズル支持部に上下動自在に嵌挿され、上記ノズル部側の下端面に磁気吸着手段が配設された中空状のシリンダー部と、
上記ノズル部内に上下動自在に収納され、上記ノズル部の内径よりも小さく上記ノズル支持部の内径よりも大きな外径を有し、上端面に前記磁気部吸着手段に対応する部位に磁気吸着板を配したフロート部と
を備え、上記フロート部の磁気吸着板が前記磁気部吸着手段に吸引したとき上記フロート部により上記ノズル支持部を遮断することを特徴とする液体自動遮断装置。
【請求項２】
前記ノズル支持部外周と前記シリンダー部の内周との間に、前記シリンダー部を前記ノズル部方向に付勢する付勢手段を設けた請求項１記載の液体自動遮断装置。
【請求項３】
前記ノズル部内面に突起部を設け、前記フロート部を係止させる請求項１乃至２記載の液体自動遮断装置。
【請求項４】
前記シリンダー部に配設した磁気吸着手段が永久磁石である請求項１乃至３記載の液体自動遮断装置。
【発明の詳細な説明】
【技術分野】
【０００１】  本発明は、液体の補給装置において補給対象のタンク内容量が所定量に達したときに、自動的に液体の供給を遮断する装置に関する。
【背景技術】
【０００２】  家庭用の暖房器具として、石油ストーブや石油ファンヒーター等が一般的に利用されている。これらストーブやファンヒーターには燃料となる灯油貯蔵用の灯油カートリッジタンクが使用されている。これらのタンクの容量は数リットルから多くても１０リットル以下が主流であるので、頻繁に灯油を補給する必要がある。【０００３】  一般家庭では灯油はポリタンクに貯蔵されていることが多く、ポリタンクから灯油カートリッジタンクへ灯油を補給するには、サイフォン式灯油ポンプ或いは電動式灯油ポンプが使用される。電動式灯油ポンプは補給が便利であるが、その反面、電源としての電池を使用する必要があり、また、スイッチを切り忘れると灯油がタンクからあふれてしまうという問題があった。この問題点を解決するため、従来から、タンク内容量が所定量に達したときに灯油の供給を自動的に停止する機構が提案されている。【０００４】
【特許文献１】特開平７−３１０６６７号公報
【特許文献２】特開平８−１４５３３５号公報
【特許文献３】特開平９−２５０４５８号公報
【特許文献４】特開平９−２８０１８９号公報
【特許文献５】特開平１０−２２９２号公報
【０００５】  特開平７−３１０６６７号公報（特許文献１）においては、灯油ポンプのホース先端部ノズル内に浮きを設け、タンク内の灯油液面が上がってくるとこの浮きを押し上げて給油口を塞ぐ機構が提案されている。【０００６】  特開平８−１４５３３５号公報（特許文献２）には、灯油ポンプの先端ノズルにクランク機構を利用した弁動作部を設け、灯油の液面レベルによりクランクが作動して弁を閉めることにより灯油の供給を停止する機構が紹介されている。【０００７】  特開平９−２５０４５８号公報（特許文献３）では、手動ポンプではあるがやはりフロートを利用した灯油供給の自動停止機構が提案されている。【０００８】  特開平９−２８０１８９号公報（特許文献４）においては、電動灯油ポンプにおいて、ノズル部にフロートスイッチを設け、浮子の上下によりスイッチがオン・オフして灯油の供給を停止する機構が提案されている。【０００９】  特開平１０−２２９２号公報（特許文献５）では、吐出部に磁石を設けて、鉄製の給油口に吸着させる技術が提案されている。【００１０】  また、市販の電動灯油ポンプでは、ノズル部にセンサーを配置して、灯油が一定のレベルに来るとセンサーが作動して給油を停止する技術が用いられている。
【発明の開示】
【発明が解決しようとする課題】
【００１１】  以上紹介したように、従来から多様な自動給油停止機構が提案されているが、いずれも一長一短あり、安価で満足できる自動給油停止機構はいまた開発されていない。【００１２】  例えば特許文献１では、灯油ポンプのホース先端部ノズル内に設けた浮きの動作により灯油供給を停止しようとしているが、浮きの動作は緩慢であり、完全に給油を停止するまでには時間がかかる。また、停止した後ホースを持ち上げると、ホース内に残留している灯油がタンク内に流出するので、ホースを抜き取る際に注意が必要となる。【００１３】  また、特許文献２では、クランク機構を利用した弁動作部を使用しているので、機構が複雑であり装置自体が大型化してしまう。また、この場合にもホースを持ち上げるとクランクが作動してしまうため、ホース内の灯油が流出するという問題がある。【００１４】  特許文献３の場合は、やはりフロートを利用した灯油供給の自動停止機構であるが、ノズル部が大型化してしまうという問題が解決されない。【００１５】  特許文献４においては、フロートと電気的なスイッチを用いているので、機構が複雑で高価になるという問題点のほか、耐久性や信頼性の面での不安もある。【００１６】  特許文献５では吐出部に磁石を使用しているが、これはあくまで吐出部を給油口に吸着させることが目的であり、給油停止機構としては、特許文献４と同じくフロートとスイッチの組合せを用いている。【００１７】  以上述べたような従来の給油自動停止機構の問題点に鑑み、本発明は単純な機構で確実な動作が保証される液体自動遮断装置を提供することを課題とする。
【課題を解決するための手段】
【００１８】  上述の課題を解決するため本発明の請求項１は、一端に液体移送手段が接続される中空状のノズル支持部と、
このノズル支持部に一体に形成され、このノズル支持部よりも大きな内径を有し、上記ノズル支持部側に複数の貫通孔を形成した中空状のノズル部と、
上記ノズル支持部に上下動自在に嵌挿され、上記ノズル部側の下端面に磁気吸着手段が配設された中空状のシリンダー部と、
上記ノズル部内に上下動自在に収納され、上記ノズル部の内径よりも小さく上記ノズル支持部の内径よりも大きな外径を有し、上端面に前記磁気部吸着手段に対応する部位に磁気吸着板を配したフロート部と
を備え、上記フロート部の磁気吸着板が前記磁気部吸着手段に吸引したとき上記フロート部により上記ノズル支持部を遮断することを要旨とする。【００１９】  さらに、本発明の請求項２においては、請求項１記載の液体自動遮断装置において、前記ノズル支持部外周と前記シリンダー部の内周との間に、前記シリンダー部を前記ノズル部方向に付勢する付勢手段を設けたことを要旨とする。【００２０】  また、請求項３においては、請求項１乃至２記載の液体自動遮断装置においては、前記ノズル部内面に突起部を設け、前記フロート部を係止させることを要旨とする。【００２１】  また、請求項４においては、請求項１乃至３記載の液体自動遮断装置において、前記リンダー部に配設した磁気吸着手段が永久磁石であることを要旨とする。
【発明の効果】
【００２２】  本発明による液体自動遮断装置では、構造が単純なため安価に製造できる。また、シリンダー部の磁気吸着手段とフロート部の吸着板とが吸引し合って液体の供給を遮断するので、灯油等の液体の遮断が即時かつ確実に行え、しかも、故障の可能性が低く信頼性が高い。さらに、磁気吸着手段と吸着板は磁力により吸引するので、ホースをタンク内より引き上げても液体の遮断が継続する。従って、ホース内に残留した液体が流出する恐れがない。【００２３】  また、請求項２の本発明によれば、ノズル支持部の外周にシリンダー部を備えており、磁気吸着手段がこのシリンダーと共に移動可能に構成されているので、シリンダーを上側に移動することにより磁石同士の吸引が容易に破壊される。一旦給油が終了して、別の機会または別のタンクに給油開始する際にこの動作を行うことにより、液体の供給が容易に可能となる。【００２４】  請求項３記載の本発明によれば、ノズル部内面に突起を設けることにより、フロートを開放した場合でも、この突起によりフロートのノズル内からの離脱を防止することができる。【００２５】  請求項４記載の本発明によれば、シリンダー部に配設した磁気吸着手段として永久磁石を用いると、電力等の他の駆動源を不要とすることができる。
【発明を実施するための最良の形態】
【実施例】
【００２６】  以下、図面に基づいて本発明の好適な実施例について説明する。【００２７】  図１は、本発明による液体自動遮断装置２を灯油ポンプのホース１先端に接続し、灯油カートリッジタンク３に装着した状態を示す部分透視斜視図である。液体自動遮断装置２は、カートリッジタンク３の給油口から挿入され、灯油を吐出するノズル部１２と、液体移送手段としての給油ホース１に接続されるノズル支持部１１と、このノズル支持部１１に上下動自在に嵌挿されたシリンダー部１５と、上記ノズル部１２の内部に上下動自在に嵌挿されたフロート部１３が配設されている。【００２８】  上記ノズル部１２は、外径がカートリッジタンク３の給油口の内径よりも小さく構成されていて、給油口に容易に差し込むことができる。液体自動遮断装置２のノズル支持部１１の上端部は、給油ホース１と接続可能に構成されている。さらに、シリンダー部１５の中間部外周には、ノズル部１２をカートリッジタンク３の給油口から挿入したときに、ノズル部１２の挿入寸法を定めるためのストッパー２６が配設されている。また、シリンダー部１５の上端部には、突起２１が設けられている。【００２９】  次に、図３に基づいて、液体自動遮断装置２の構成を詳細に説明する。円筒の中空状に形成されたノズル部１２とノズル支持部１１は、例えば耐油性を有する合成樹脂または金属等により一体的に形成され、ノズル部１２よりもノズル支持部１１を小径に形成し、その間に外段部１１ａが形成されている。また、ノズル部１２の上記段部近傍には、複数の貫通孔２３が形成されていて灯油を流出するように構成されている。これらノズル部１２とノズル支持部１１の内方は連通させている。また、ノズル部１２の先端内側には突起２４が形成され、フロート部１３の離脱を阻止するように構成されている。さらに、ノズル支持部１１の外周には、後述するコイルバネ１６の一端側を係止するための溝部２２が形成されている。【００３０】  上記ノズル支持部１１の外周に嵌挿されるシリンダー部１５は、耐油性を有する合成樹脂または金属等により形成され、図示上方側の内径は、コイルバネ１６を配設するようにノズル支持部１１の外径よりも大きい大径部が形成され、図示下方はノズル支持部１１の外径よりもやや大きい小径部が形成され、シリンダー部１５はこの小径部にガイドされながらノズル支持部１１の外周を上下動するように構成されている。なお、シリンダー部１５の大径部と小径部との間には段部１５ａが形成されている。【００３１】  また、シリンダー部１５の図示下方の外周には、環状の切り欠きが形成され、磁気吸着手段としての永久磁石１４が嵌着されている。この永久磁石１４はリング状に形成され、下端面がシリンダー部１５の下端面と同一面にするか、もしくは、永久磁石１４の下端面をやや突出させている。【００３２】  さらに、ノズル支持部１１の外周とシリンダー部１５の大径部の内周との間の隙間にはコイルバネ１６が配設され、コイルバネ１６の一端側はノズル支持部１１の外周に形成された溝部２２に係止され、他端側は大径部と小径部の境界に形成された段部１５ａに当接させている。コイルバネ１６は伸長習性を有していて、常時はノズル支持部１１に対してシリンダ���部１５をノズル部１２方向に押圧付勢させている。【００３３】  図２は、上記ノズル部１２の内部に嵌挿されるフロート部１３を示す斜視図であり、フロート部１３は、耐油性を有する合成樹脂等により有底筒状に形成され、その外径はノズル部１２よりもやや小さくしてノズル部１２内面に沿って上下動自在に収納されている。また、フロート部１３の外周側上面には、上述したシリンダー部１５の永久磁石１４に対応する部位に、永久磁石または磁性体金属からなるリング状の磁気吸着板１７が配設されている。さらに、磁気吸着板１７の内周側に形成された溝には、Ｏリング１８が嵌挿されている。このＯリング１８および磁気吸着板１７は、ノズル支持部１１の内面上方に形成されたノズル支持部１１との間の内段部１２ａの面に当接するように構成されている。フロート部１３は、上記ノズル部１２の内径よりも小さく、ノズル支持部１１の内径よりも大きな外径を有していて、Ｏリング１８および磁気吸着板１７が内段部１２ａの面に当接される。なお、フロート部１３は、下端側を開口した有底筒状でなくとも、下端側を密閉した袋状に形成しても良い。【００３４】  次に、図４に基いて本発明による液体自動遮断装置の動作について説明する。液体自動遮断装置２は、定常状態において図３に示すように、シリンダー部１５がコイルバネ１６の弾力によってノズル部１２方向に押圧付勢され、シリンダー部１５の下端面がノズル支持部１１の下方の段部に当接されている。一方、フロート部１３は、シリンダー部１５の永久磁石１４によって磁気吸着板１７が吸引され、フロート部１３の上端面がノズル部１２の内方上端に当接している。【００３５】  このような図３に示す状態で液体自動遮断装置２をカートリッジタンク３の給油口から挿入すると共に、給油口に上述したストッパー２６を当接させる。その後、フロート部１３を下降させて、図４（Ｂ）に示す使用状態に設定する。すなわち、図４（Ａ）に示すように、シリンダー部１５をコイルバネ１６の弾力に抗して上方に移動させる。これにより、シリンダー部１５の永久磁石１４による磁気吸着板１７の吸引力が解除され、フロート部１３は自重によって下降し、フロート部１３の下端がノズル部１２の先端内側の突起２４に当接する。この状態になったときに、シリンダー部１５を自由状態にすると、シリンダー部１５はコイルバネ１６の弾力によって下降し、シリンダー部１５の下端面がノズル支持部１１の下方の段部１１ａに当接して、図４（Ｂ）に示す使用状態に設定される。【００３６】  そして、ノズル支持部１１に連結された灯油ポンプのホース１から灯油を給油する。灯油は図４（Ｂ）において点線で示すように、ノズル支持部１１からノズル部１２を介して複数の貫通孔２３からカートリッジタンク３内に放出される。【００３７】  やがて、カートリッジタンク３内に灯油が充満すると、図４（Ｃ）に示すように、灯油によってフロート部１３が図示上方に浮上する。そして、灯油が所定位置まで充満すると、図４（Ｄ）に示すように、フロート部１３の磁気吸着板１７がシリンダー部１５の永久磁石１４に吸引され、Ｏリング１８がノズル部１２の内段部１２ａの面に押圧されることによって給油を停止する。このようにカートリッジタンク３内の灯油が所定位置まで充満した後に、液体自動遮断装置２をカートリッジタンク３の給油口から引き抜く。【００３８】  以上のように、フロート部１３の磁気吸着板１７をシリンダー部１５の氷久磁石１４に吸引させることから、ノズル部１２およびノズル支持部１１の材質は非磁性体とすることが好ましい。【００３９】  以上、図面に基づいて本発明の好適な実施例について説明したが、本発明の精神を逸脱しない範囲において応用や変更が可能なことはいうまでもない。例えば、液体自動遮断装置２をホース１先端に接続した灯油ポンプは、手動式或いは電動式のいずれであっても良い。また、便宜上、本発明の実施例は家庭用の灯油ポンプへの応用を例として説明したが、使用可能な液体は、上記灯油に限らず、水や薬液、溶剤等、種々の液体の供給機構において応用できるものである。
【産業上の利用可能性】
【００４０】  本発明によれば、灯油などの液体供給機構における自動遮断を安価かつ確実に行うことのできる装置を提供するものであるので、種々の液体移送・供給装置に適用できる。
【図面の簡単な説明】
【００４１】
【図１】本発明による液体自動遮断装置を灯油カートリッジタンクに装着した状態を示す部分透視斜視図である。
【図２】本発明による液体自動遮断装置のフロート部を示す斜視図である。
【図３】本発明による液体自動遮断装置の構造を示す断面図である。
【図４】（Ａ）乃至（Ｄ）は、液体自動遮断装置の動作を示す説明図である。
【符号の説明】
【００４２】  １    灯油ポンプホース
２    液体自動遮断装置
３    灯油カートリッジタンク
１１  ノズル支持部
１２  ノズル部
１３  フロート部
１４  磁気吸着手段
１５  シリンダー部
１６  コイルバネ
１７  吸着板
１８  Ｏリング
２１  突起
２２  溝部
２３  貫通孔
２４  突起
２５  溝部
【図１】
2007084146.tif 000003
【図２】
2007084146.tif 000004
【図３】
2007084146.tif 000005
【図４】
2007084146.tif 000006
2007084146.tif 000007
【手続補正書】
【提出日】平成18年1月5日(2006.1.5)
【手続補正１】
【補正対象書類名】明細書
【補正対象項目名】００３４
【補正方法】変更
【補正の内容】
【００３４】  次に、図４乃至図７に基いて本発明による液体自動遮断装置の動作について説明する。液体自動遮断装置２は、定常状態において図３に示すように、シリンダー部１５がコイルバネ１６の弾力によってノズル部１２方向に押圧付勢され、シリンダー部１５の下端面がノズル支持部１１の下方の段部に当接されている。一方、フロート部１３は、シリンダー部１５の永久磁石１４によって磁気吸着板１７が吸引され、フロート部１３の上端面がノズル部１２の内方上端に当接している。
【手続補正２】
【補正対象書類名】明細書
【補正対象項目名】００３５
【補正方法】変更
【補正の内容】
【００３５】  このような図３に示す状態で液体自動遮断装置２をカートリッジタンク３の給油口から挿入すると共に、給油口に上述したストッパー２６を当接させる。その後、フロート部１３を下降させて、図５に示す使用状態に設定する。すなわち、図４に示すように、シリンダー部１５をコイルバネ１６の弾力に抗して上方に移動させる。これにより、シリンダー部１５の永久磁石１４による磁気吸着板１７の吸引力が解除され、フロート部１３は自重によって下降し、フロート部１３の下端がノズル部１２の先端内側の突起２４に当接する。この状態になったときに、シリンダー部１５を自由状態にすると、シリンダー部１５はコイルバネ１６の弾力によって下降し、シリンダー部１５の下端面がノズル支持部１１の下方の段部１１ａに当接して、図５に示す使用状態に設定される。
【手続補正３】
【補正対象書類名】明細書
【補正対象項目名】００３６
【補正方法】変更
【補正の内容】
【００３６】  そして、ノズル支持部１１に連結された灯油ポンプのホース１から灯油を給油する。灯油は図５において点線で示すように、ノズル支持部１１からノズル部１２を介して複数の貫通孔２３からカートリッジタンク３内に放出される。
【手続補正４】
【補正対象書類名】明細書
【補正対象項目名】００３７
【補正方法】変更
【補正の内容】
【００３７】  やがて、カートリッジタンク３内に灯油が充満すると、図６に示すように、灯油によってフロート部１３が図示上方に浮上する。そして、灯油が所定位置まで充満すると、図７に示すように、フロート部１３の磁気吸着板１７がシリンダー部１５の永久磁石１４に吸引され、Ｏリング１８がノズル部１２の内段部１２ａの面に押圧されることによって給油を停止する。このようにカートリッジタンク３内の灯油が所定位置まで充満した後に、液体自動遮断装置２をカートリッジタンク３の給油口から引き抜く。
【手続補正５】
【補正対象書類名】明細書
【補正対象項目名】００４１
【補正方法】変更
【補正の内容】
【００４１】
【図１】本発明による液体自動遮断装置を灯油カートリッジタンクに装着した状態を示す部分透視斜視図である。
【図２】本発明による液体自動遮断装置のフロート部を示す斜視図である。
【図３】本発明による液体自動遮断装置の構造を示す断面図である。
【図４】液体自動遮断装置を使用可能に設定する状態を示す断面図である。
【図５】液体自動遮断装置の使用状態を示す断面図である。
【図６】液体自動遮断装置のフロート部が浮上する状態を示す断面図である。
【図７】液体自動遮断装置が給油を停止した状態を示す断面図である。
【手続補正６】
【補正対象書類名】図面
【補正対象項目名】全図
【補正方法】変更
【補正の内容】
【図１】
2007084146.tif 000008
【図２】
2007084146.tif 000009
【図３】
2007084146.tif 000010
【図４】
2007084146.tif 000011
【図５】
2007084146.tif 000012
【図６】
2007084146.tif 000013
【図７】
2007084146.tif 000014